(57)【要約】  回転軸線１８に沿って互いに隔置されたディスク部２０Ａ及びサブロータ２２と、それらの外周部を一体に接続する円筒部２０Ｂとを有するブレーキロータ１２と、ディスク部及びサブロータの間にて静止部材３８により回転軸線に平行な自転軸線４０の周りに回転可能に支持されたブレーキパッド１４Ａ、１４Ｂと、ブレーキロータとブレーキパッドとの間に回転トルクを相互に伝達する回転トルク伝達装置６６Ａ、６６Ｂと、ブレーキロータとブレーキパッドとの間にて静止部材により支持され、ディスク部２０Ａ及びサブロータ２２に対しそれぞれブレーキパッド１４Ａ及び１４Ｂを押圧する押圧装置６０Ａ、６０Ｂと、を有する摩擦ブレーキ装置１０。
2013150659.tif 000002
【特許請求の範囲】
【請求項１】
回転軸線に沿って互いに隔置され前記回転軸線の周りに全周に亘り延在する第一及び第二のディスク部と、前記第一及び第二のディスク部の外周部を一体に接続する接続部とを有するブレーキロータと、前記第一及び第二のディスク部の間にて静止部材により前記回転軸線に平行な自転軸線の周りに回転可能に支持された第一及び第二の回転摩擦部材と、それぞれ前記第一及び第二のディスク部と前記第一及び第二の回転摩擦部材との間の摩擦力に依存せずに前記ブレーキロータと前記第一及び第二の回転摩擦部材との間にて回転トルクを相互に伝達する第一及び第二の回転トルク伝達機構と、前記第一及び第二のディスク部の間にて前記静止部材により支持され、前記第一及び第二のディスク部の互いに対向する第一及び第二の摩擦面に対しそれぞれ前記第一及び第二の回転摩擦部材を押圧する第一及び第二の押圧装置と、を有することを特徴とする摩擦ブレーキ装置。
【請求項２】
前記第一及び第二の記押圧装置は、それぞれ前記回転軸線の周りに回転不能に支持された第一及び第二の非回転摩擦部材を介して前記第一及び第二の回転摩擦部材を前記第一及び第二の摩擦面に対し押圧し、前記第一及び第二の回転摩擦部材は、それぞれ一方の側にて前記第一及び第二の摩擦面に摩擦係合し、他方の側にて前記第一及び第二の非回転摩擦部材に摩擦係合することを特徴とする請求項１に記載の摩擦ブレーキ装置。
【請求項３】
前記接続部の剛性は前記第一及び第二のディスク部の剛性よりも高いことを特徴とする請求項１又は２に記載の摩擦ブレーキ装置。
【請求項４】
前記接続部は前記第一及び第二のディスク部の一方と一体に形成され、前記第一及び第二のディスク部の他方は連結解除可能な連結装置により前記接続部と一体的に連結されていることを特徴とする請求項１乃至３の何れか一つに記載の摩擦ブレーキ装置。
【請求項５】
前記第一及び第二の押圧装置は、前記静止部材に設けられ前記第一及び第二のディスク部を横切る方向に延在するシリンダボアと、前記シリンダボアに嵌合する第一及び第二のピストンと、を有し、前記第一及び第二のピストンは前記シリンダボアと共働して共通のシリンダ室を郭定していることを特徴とする請求項１乃至４の何れか一つに記載の摩擦ブレーキ装置。
【請求項６】
前記ブレーキロータは前記静止部材と共働して前記第一及び第二の回転摩擦部材、前記第一及び第二の押圧装置及び前記第一及び第二の非回転摩擦部材を収容する密閉空間を郭定していることを特徴とする請求項１乃至５の何れか一つに記載の摩擦ブレーキ装置。
【請求項７】
前記密閉空間には潤滑液が充填されていることを特徴とする請求項６に記載の摩擦ブレーキ装置。
【発明の詳細な説明】
【技術分野】
【０００１】
本発明は、摩擦ブレーキ装置に係り、更に詳細にはブレーキロータに摩擦部材を押圧することにより摩擦力を発生させる摩擦ブレーキ装置に係る。
【背景技術】
【０００２】
摩擦ブレーキ装置の一つとして、例えば本願出願人の出願にかかる下記の特許文献１に記載されている如く、一対の摩擦部材を有し、各摩擦部材がブレーキロータの二つの部位に対し押圧されるブレーキ装置が既に知られている。特に、下記の特許文献１に記載されたブレーキ装置に於いては、各摩擦部材がブレーキロータのディスク部の側面に対し押圧されると共に、ブレーキロータの外周の円筒部の内面に対し押圧される。【０００３】
この種のブレーキ装置に於いては、摩擦部材がブレーキロータのディスク部の側面に対しその回転軸線の周りに相対的に公転しつつ摩擦係合すること及び摩擦部材がブレーキロータの円筒部の内面と摩擦係合することの両方によって制動トルクが発生される。よって、摩擦部材がブレーキロータのディスク部の側面に対してしか押圧されないブレーキ装置に比して、高い制動トルクを発生させることができる。
【先行技術文献】
【特許文献】
【０００４】
【特許文献１】特開平８−１２１５０９号公報
【発明の概要】
【０００５】
〔発明が解決しようとする課題〕
上記公開公報に記載された摩擦ブレーキ装置に於いては、一対の摩擦部材及びそれらを押圧する一対の押圧装置は、ブレーキロータの外周部を部分的に跨ぐキャリパによりブレーキロータの両側に於いて支持されている。そして各摩擦部材はブレーキロータのディスク部の側面との間の摩擦力によって揺動軸線の周りに揺動せしめられることにより、ブレーキロータの外周の円筒部の内面と摩擦係合せしめられる。
【０００６】
各摩擦部材はブレーキロータが何れの方向へ回転する場合にも揺動軸線の周りに揺動可能でなければならず、そのためキャリパは各摩擦部材が両方向へ揺動することを許す大きさを有していなければならない。また、押圧装置の押圧力の反力がキャリパに作用するため、ブレーキロータの両側にて円弧状に延在する部分が互いに離れる方向へ付勢される。かくして付勢される応力によってキャリパが変形されると、制動力を効果的に発生させることができない。そのためキャリパはその変形を抑制する強度や大きさを有していなければならない。よって、上記公開公報に記載されている如き摩擦ブレーキ装置に於いて高い制動トルクを発生させるためには、キャリパの大型化が必要であり、キャリパの大型化を必要とせずに高い制動トルクを発生する上で改善の余地がある。
【０００７】
本発明の主要な目的は、摩擦部材がブレーキロータのディスク部及び他の部位に摩擦係合することによって制動トルクが発生される摩擦ブレーキ装置に於いて、装置の大型化を招来することなく高い制動トルクを発生させることである。
〔課題を解決するための手段及び発明の効果〕
【０００８】
本発明によれば、回転軸線に沿って互いに隔置され回転軸線の周りに全周に亘り延在する第一及び第二のディスク部と、第一及び第二のディスク部の外周部を一体に接続する接続部とを有するブレーキロータと、第一及び第二のディスク部の間にて静止部材により回転軸線に平行な自転軸線の周りに回転可能に支持された第一及び第二の回転摩擦部材と、それぞれ第一及び第二のディスク部と第一及び第二の回転摩擦部材との間の摩擦力に依存せずにブレーキロータと第一及び第二の回転摩擦部材との間にて回転トルクを相互に伝達する第一及び第二の回転トルク伝達機構と、第一及び第二のディスク部の間にて静止部材により支持され、第一及び第二のディスク部の互いに対向する第一及び第二の摩擦面に対しそれぞれ第一及び第二の回転摩擦部材を押圧する第一及び第二の押圧装置と、を有することを特徴とする摩擦ブレーキ装置が提供される。
【０００９】
この構成によれば、第一及び第二の回転トルク伝達機構によりブレーキロータの回転トルクが第一及び第二の回転摩擦部材へ伝達され、第一及び第二の回転摩擦部材は自転軸線の周りに回転する。よって、各回転摩擦部材はブレーキロータのディスク部の側面に摩擦係合した状態にて回転軸線の周りに公転すると共に自転軸線の周りに自転し、自転による摩擦トルクは対応する回転トルク伝達機構により制動トルクとしてブレーキロータへ伝達される。従って、摩擦ブレーキ装置は公転の摩擦係合及び自転の摩擦係合により制動トルクを発生するので、公転の摩擦係合のみにより制動トルクが発生される場合に比して、高い制動トルクを発生させることができる。
【００１０】
また、ブレーキロータの外周部を部分的に跨ぎブレーキロータの両側に於いて一対の摩擦部材や押圧装置を支持すると共に押圧装置の押圧力の反力を担持するキャリパは不要である。また、摩擦部材は揺動ではなく自転軸線の周りに自転するので、摩擦部材が揺動する場合に比して、摩擦部材に必要な空間を小さくすることができる。従って、摩擦ブレーキ装置の大型化を招来することなく高い制動トルクを発生させることができる。
【００１１】
また、第一及び第二のディスク部は回転軸線の周りに全周に亘り延在するので、回転軸線の周りに部分的にしか延在しないキャリパの場合に比してブレーキロータの剛性を高くすることができる。更に、第一及び第二の押圧装置は第一及び第二の回転摩擦部材と共に第一及び第二のディスク部の間に配置されているので、これらがブレーキロータの両側に配置されている場合に比して、押圧装置を駆動するために必要な配管等の構造を単純化することができる。
【００１２】
上記構成に於いて、第一及び第二の押圧装置は、それぞれ回転軸線の周りに回転不能に支持された第一及び第二の非回転摩擦部材を介して第一及び第二の回転摩擦部材を第一及び第二の摩擦面に対し押圧し、第一及び第二の回転摩擦部材は、それぞれ一方の側にて第一及び第二の摩擦面に摩擦係合し、他方の側にて第一及び第二の非回転摩擦部材に摩擦係合するようになっていてよい。
【００１３】
この構成によれば、各回転摩擦部材は一方の側にて対応する摩擦面に摩擦係合すると共に、他方の側にて対応する非回転摩擦部材に摩擦係合するので、後者の摩擦係合による摩擦トルクも回転トルク伝達機構により制動トルクとしてブレーキロータへ伝達される。従って、各回転摩擦部材が他方の側にて対応する非回転摩擦部材に摩擦係合しない場合に比して、更に高い制動トルクを発生させることができる。
【００１４】
また、上記構成に於いて、接続部の剛性は第一及び第二のディスク部の剛性よりも高くてよい。
【００１５】
この構成によれば、第一及び第二のディスク部の剛性が接続部の剛性よりも高い場合に比して、第一及び第二の押圧装置の押圧力の反力に起因して第一及び第二のディスク部が互いに離れる方向へ変形する量を低減することができる。よって剛性の大小関係が逆の場合に比して、ブレーキ装置の制動作用を向上させることができる。
【００１６】
上記構成に於いて、接続部は第一及び第二のディスク部の一方と一体に形成され、第一及び第二のディスク部の他方は連結解除可能な連結装置により接続部と一体的に連結されていてよい。
【００１７】
この構成によれば、連結装置による連結が解除された状態にて第一及び第二の回転摩擦部材及び第一及び第二の押圧装置を第一及び第二のディスク部の一方や非回転部材に組み付けることができる。また、連結装置による連結を解除することにより、ブレーキロータを分解することができ、第一及び第二の回転摩擦部材及び第一及び第二の押圧装置にアクセスすることができる。よって、第一及び第二のディスク部が接続部と一体に形成され、一つの部材である場合に比して、ブレーキ装置の組み立てや保守を容易に行うことができる。
【００１８】
上記構成に於いて、第一及び第二の押圧装置は、静止部材に設けられ第一及び第二のディスク部を横切る方向に延在するシリンダボアと、シリンダボアに嵌合する第一及び第二のピストンと、を有し、第一及び第二のピストンはシリンダボアと共働して共通のシリンダ室を郭定していてよい。
【００１９】
この構成によれば、第一及び第二のピストンがそれぞれ対応するシリンダボアに嵌合する場合に比して、シリンダボアの数を低減することができると共に、シリンダ室の圧力を制御するための通路などの数も低減することができる。また、シリンダ室の圧力によるディスク部に対する押圧力の反力を非回転部材によって担持する必要がない。よって第一及び第二のピストンがそれぞれ対応するシリンダボアに嵌合する場合に比して、ブレーキ装置の構造を単純化することができる。
【００２０】
また、第一及び第二のピストンがそれぞれ対応するシリンダボアに嵌合する場合に比して、回転軸線の周りに多数の第一及び第二の回転摩擦部材及び第一及び第二の押圧装置を配設することができる。よって、回転摩擦部材及び押圧装置を小型化しつつそれらの数を多くすることにより、ブレーキ装置を小型化したりブレーキ装置の制動作用を高くしたりすることができる。
【００２１】
上記構成に於いて、ブレーキロータは静止部材と共働して第一及び第二の回転摩擦部材、第一及び第二の押圧装置及び第一及び第二の非回転摩擦部材を収容する密閉空間を郭定していてよい。
【００２２】
この構成によれば、第一及び第二の回転摩擦部材及び第一及び第二の押圧装置は密閉空間に収容されているので、回転摩擦部材及び押圧装置に泥水や粉塵が侵入する虞れを低減し、これによりブレーキ装置の耐久性を向上させることができる。また、回転摩擦部材及び押圧装置に泥水や粉塵が侵入することを抑制するカバー等の必要性を排除することができる。
【００２３】
上記構成に於いて、密閉空間には潤滑液が充填されていてよい。
【００２４】
この構成によれば、第一及び第二のディスク部と第一及び第二の回転摩擦部材との摩擦接触部を潤滑液にて潤滑することができる。よってディスク部及び摩擦部材の異常摩耗を抑制し、摩擦による発熱やブレーキ鳴きを抑制すると共に、潤滑液によるディスク部及び摩擦部材の冷却によってそれらの昇温を抑制することができる。
【００２５】
また上記構成に於いて、第一及び第二の回転摩擦部材は、それぞれ一方の側面にて第一及び第二の摩擦面に摩擦係合し、他方の側面にて第一及び第二の非回転摩擦部材に摩擦係合し、各回転摩擦部材の自転軸線から両側面の摩擦係合部の中心までの距離は同一であってよい。
【００２６】
また上記構成に於いて、第一及び第二の回転摩擦部材は軸部を有し、静止部材により軸部にて自転軸線の周りに回転可能に支持され、それぞれ一方の側面にて第一及び第二の摩擦面に摩擦係合し、他方の側面の側の軸部にて第一及び第二の非回転摩擦部材に摩擦係合してよい。
【図面の簡単な説明】
【００２７】
【図１】車両用ブレーキ装置として構成された本発明による摩擦ブレーキ装置の第一の実施形態を回転軸線を通る切断面にて切断して示す断面図である。
【図２】第一の実施形態の修正例として構成された本発明による摩擦ブレーキ装置の第二の実施形態を回転軸線を通る切断面にて切断して示す断面図である。
【図３】第一の実施形態の修正例として構成された本発明による摩擦ブレーキ装置の第三の実施形態を回転軸線を通る切断面にて切断して示す断面図である。
【発明を実施するための形態】
【００２８】
以下に添付の図を参照しつつ、本発明を幾つかの好ましい実施形態について詳細に説明する。
［第一の実施形態］
【００２９】
図１は車両用ブレーキ装置として構成された本発明による摩擦ブレーキ装置の第一の実施形態を回転軸線を通る切断面にて切断して示す断面図である。
【００３０】
図１に於いて、１０はブレーキ装置を全体的に示しており、ブレーキ装置１０は、ブレーキロータ１２と、第一及び第二の摩擦部材としてのブレーキパッド１４Ａ及び１４Ｂとを有している。ブレーキロータ１２は、図には示されていない車輪の回転軸１６と共に一体的に回転軸線１８の周りに回転する。特に図示の実施形態に於いては、ブレーキロータ１２は、回転軸１６と一体をなすメインロータ２０と、該メインロータと共に一体的に回転するサブロータ２２とを有している。メインロータ２０及びサブロータ２２は同一の金属材料にて形成されている。
【００３１】
メインロータ２０は、回転軸線１８に沿って互いに隔置されたディスク部２０Ａと円筒部２０Ｂとを有している。ディスク部２０Ａは、内周部にて回転軸１６と一体に連結され、回転軸線１８に垂直に回転軸線１８の周りに実質的に円板状に延在している。円筒部２０Ｂは、ディスク部２０Ａの外周部と一体に接続され、回転軸線１８の周りに円筒状に延在している。サブロータ２２は、回転軸線１８に垂直に回転軸線１８の周りに円環板状に延在し、外周部にて円筒部２０Ｂのディスク部２０Ａとは反対側の端部に複数のボルト２４によって連結されている。
【００３２】
尚、ディスク部２０Ａ及びサブロータ２２は、互いに同一の厚さを有し、円筒部２０Ｂの厚さはディスク部２０Ａ及びサブロータ２２の厚さよりも小さい。しかし円筒部２０Ｂは、回転軸線１８の周りに円筒状に延在しているので、ディスク部２０Ａ及びサブロータ２２よりも高い剛性を有している。
【００３３】
かくしてディスク部２０Ａ及びサブロータ２２は、それぞれ回転軸線１８に垂直に回転軸線１８の周りに延在し回転軸線１８に沿って互いに隔置された第一及び第二のディスク部として機能する。円筒部２０Ｂは、ボルト２４と共働してディスク部２０Ａ及びサブロータ２２の外周部を一体的に接続する接続部として機能する。ディスク部２０Ａ、円筒部２０Ｂ及びサブロータ２２は、回転軸線１８を通る径方向の切断面で見て径方向内方へ開いたコの字形の断面形状をなしている。ディスク部２０Ａ及びサブロータ２２の互いに対向する面は、回転軸線１８に垂直に互いに平行に回転軸線１８の周りに全周に亘り延在する第一及び第二の摩擦面をそれぞれ郭定している。
【００３４】
回転軸１６は、一対のボールベアリング２６を介して車輪支持部材２８のスリーブ部２８Ａにより回転軸線１８の周りに回転可能に支持されている。一対のボールベアリング２６と回転軸１６とスリーブ部２８Ａとの間の空間は、グリースの如き潤滑剤にて充填されている。一対のボールベアリング２６に対し軸線方向両側には一対のシール部材３０が配置されており、シール部材３０は、ボールベアリング２６に粉塵や泥水が侵入しないよう回転軸１６とスリーブ部２８Ａとの間をシールしている。
【００３５】
図には示されていないが、メインロータ２０のディスク部２０Ａは、回転軸線１８の周りに互いに９０°隔置された状態にて４本のボルト３２及びこれに螺合するナットにより車輪のリム部に一体的に連結されるようになっている。従って回転軸１６及びブレーキロータ１２（メインロータ２０及びサブロータ２２）は、車輪と共に回転軸線１８の周りに回転する。
【００３６】
ブレーキパッド１４Ａ及び１４Ｂは、ディスク部２０Ａとサブロータ２２との間に配置され、互いに同一の形状及び大きさを有している。ブレーキパッド１４Ａ及び１４Ｂは、それぞれ互いに同軸をなす円板部と軸部とを有し、円板部がディスク部２０Ａとサブロータ２２の側に位置している。ブレーキパッド１４Ａの円板部は外周部の両側面に摩擦部１４ＡＡ及び１４ＡＢを有し、ブレーキパッド１４Ｂの円板部は外周部の両側面に摩擦部１４ＢＡ及び１４ＢＢを有している。各摩擦部は円板部の側面より隆起した状態でブレーキパッドの軸線の周りに環帯状に延在している。
【００３７】
尚、ブレーキパッド１４Ａ及び１４Ｂが例えば粉末焼結法によって製造されることにより、摩擦部は円板部と一体に形成されてよい。また、摩擦部は、環帯状の摩擦材が円板部の側面に接着又は他の手段により固定されることにより形成されてもよい。更に、摩擦部１４ＡＡ〜１４ＢＢは互いに同一の摩擦材料にて構成されているが、互いに異なる摩擦材料にて構成されていてもよい。
【００３８】
ブレーキパッド１４Ａ及び１４Ｂの軸部は、それぞれ非回転摩擦部材３４Ａ及び３４Ｂにより複数のボール３６Ａ及び３６Ｂを介して回転可能に支持されている。非回転摩擦部材３４Ａ及び３４Ｂは、それぞれブレーキパッド１４Ａ及び１４Ｂの軸部を囲繞する円筒部と、ブレーキパッドとは反対側の円筒部の端部と一体に形成された円板部とを有しているが、円板部は省略されてもよい。
【００３９】
非回転摩擦部材３４Ａ及び３４Ｂの円筒部は、非回転部材としての静止部材３８により、回転軸線１８に平行な自転軸線４０に沿って静止部材３８に対し相対変位可能であるが自転軸線４０の周りに回転しないよう、支持されている。従ってブレーキパッド１４Ａ及び１４Ｂは、それぞれディスク部２０Ａ及びサブロータ２２に対し相対的に自転軸線４０に沿って変位可能であると共に、自転軸線４０の周りに回転可能に支持されている。尚、非回転摩擦部材の回転防止は、自転軸線４０に沿って延在するキー及びキー溝や、軸部の表面の一部及び円筒部の内面の一部が互いに係合する平面状に形成されることにより達成されてよい。
【００４０】
非回転摩擦部材３４Ａ及び３４Ｂの円板部側の側面には、それぞれ有底円筒状をなすピストン４２Ａ及び４２Ｂの開口端が溶接等の固定手段により固定されており、ピストン４２Ａ及び４２Ｂはそれぞれブレーキパッド１４Ａ及び１４Ｂの軸線に整合している。静止部材３８は、非回転摩擦部材３４Ａ及び３４Ｂの間にて自転軸線４０に沿って延在する断面円形のシリンダボア４４を有している。ピストン４２Ａ及び４２Ｂは、自転軸線４０に沿って往復動可能にシリンダボア４４に嵌合し、互いに共働してシリンダ室４８を郭定している。シリンダボア４４に設けられたリング溝にはＯリングシール５０Ａ及び５０Ｂが嵌め込まれており、これらのＯリングシールは、ピストン４２Ａ及び４２Ｂとシリンダボア４４との間をシールしている。
【００４１】
尚、図１に於いては、ブレーキパッド１４Ａ及び１４Ｂ、ピストン４２Ａ及び４２Ｂ、シリンダ室４８は、それぞれ一つしか図示されていないが、これらは回転軸線１８の周りに均等に隔置された状態にて複数設けられていてもよい。
【００４２】
静止部材３８は、回転軸線１８の周りに延在する環状溝５２を内周部の内面に有し、環状溝５２は、径方向に延在する内部通路５４によりシリンダ室４８と連通接続されている。環状溝５２は、静止部材３８の内周部に設けられた連通孔５６及び図には示されていない導管により油圧式のブレーキアクチュエータに接続されている。また静止部材３８の内周部よりも径方向外側の側面にはカバー部材５８がねじ止めにより固定されている。カバー部材５８は、サブロータ２２より隔置された状態にてサブロータを覆っており、ブレーキロータ１２と静止部材３８との間に粉塵や泥水が侵入することを防止する。
【００４３】
以上の説明より解る如く、シリンダ室４８内の油圧が増大されると、ブレーキパッド１４Ａ、１４Ｂ、非回転摩擦部材３４Ａ、３４Ｂ及びピストン４２Ａ、４２Ｂが互いに離れる方向へ駆動される。これによりブレーキパッド１４Ａ及び１４Ｂは、それぞれディスク部２０Ａ及びサブロータ２２の摩擦面に対し押圧される。よってピストン４２Ａ、４２Ｂ及びシリンダボア４４等は、静止部材３８に支持され、それぞれ非回転摩擦部材３４Ａ及び３４Ｂを介してディスク部２０Ａとサブロータ２２に対しブレーキパッド１４Ａ及び１４Ｂを押圧する第一及び第二の押圧装置６０Ａ及び６０Ｂとして機能する。
【００４４】
ブレーキパッド１４Ａ及び１４Ｂの円板部の外周にはそれぞれ外歯車６２Ａ及び６２Ｂが設けられており、外歯車６２Ａ及び６２Ｂはそれぞれメインロータ２０の円筒部２０Ｂに設けられた内歯車６４Ａ及び６４Ｂと噛合している。外歯車６２Ａ、６２Ｂ及び内歯車６４Ａ、６４Ｂは、ブレーキロータ１２とブレーキパッド１４Ａ及び１４Ｂとの間の摩擦力に依存せずにそれらの間に回転トルクを相互に伝達する回転トルク伝達装置６６Ａ及び６６Ｂとして機能する。
【００４５】
図には示されていない車輪が回転すると、ブレーキロータ１２及び回転軸１６は車輪と共に回転軸線１８の周りに回転するが、ブレーキパッド１４Ａ及び１４Ｂ、スリーブ部２８、静止部材３８及びカバー部材５８は回転しない。よってディスク部２０Ａ及びサブロータ２２は、ブレーキパッド１４Ａ及び１４Ｂに対し相対的に回転軸線１８の周りに回転する。また、ディスク部２０Ａ及びサブロータ２２の回転トルクがそれぞれ回転トルク伝達装置６６Ａ及び６６Ｂによって自転軸線４０の周りの回転トルクに変換されてブレーキパッド１４Ａ及び１４Ｂへ伝達される。これによりブレーキパッド１４Ａ及び１４Ｂは、自転軸線４０の周りに自転しつつスク部２０Ａ及びサブロータ２２に対し相対的に回転軸線１８の周りに公転すると共に、非回転摩擦部材３４Ａ及び３４Ｂに対し相対的に自転軸線４０の周りに回転する。
【００４６】
よってブレーキパッド１４Ａ及び１４Ｂが押圧装置６０Ａ及び６０Ｂによって押圧されると、ブレーキパッド１４Ａ及び１４Ｂの両側の摩擦部は、それぞれディスク部２０Ａ、サブロータ２２、非回転摩擦部材３４Ａ及び３４Ｂと摩擦係合し、摩擦力が発生する。従ってブレーキパッド１４Ａ及び１４Ｂの公転による制動トルクＴrvに加えて、自転による制動トルクＴrtが発生し、それらの総和が制動トルクＴbとなる。
【００４７】
制動トルクＴrv及びＴrtはブレーキパッド１４Ａ及び１４Ｂに対する押圧装置６０Ａ及び６０Ｂの押圧力に比例し、押圧力はシリンダ室４８内の油圧に比例する。従って、シリンダ室４８内の油圧の制御によって押圧力を制御することにより、制動トルクＴb、即ちブレーキ装置１０が発生する制動力を制御することができる。
【００４８】
上述の如く、制動トルクＴbは公転による制動トルクＴrvと自転による制動トルクＴrtとの和である。また、自転による制動トルクは二つのブレーキパッドの両面に於いて発生するので、自転による制動トルクＴrtは自転による制動トルクが一方の面に於いてしか発生しない上記公開公報に記載されたブレーキ装置に於ける自転による制動トルクＴrt′の２倍である。
【００４９】
従って、第一の実施形態によれば、制動トルクＴrvのみしか発生しない従来の一般的な構造のブレーキ装置よりも遥かに高い制動トルクを発生させることができ、また、上記公開公報に記載されたブレーキ装置よりも高い制動トルクを発生させることができる。
【００５０】
例えば、図１には示されていないが、回転軸線１８と回転トルク伝達装置６６Ａ及び６６Ｂとの距離を１５２．５mmとし、回転軸線１８と自転軸線４０との距離を１２０mmとし、自転軸線４０と回転トルク伝達装置６６Ａ及び６６Ｂとの距離を２５mmとする。また、各摩擦接触部の摩擦係数をμとし、押圧装置６０Ａ及び６０Ｂの押圧力をＦkgfとする。ブレーキパッド１４Ａ及び１４Ｂが自転することにより発生する自転軸線４０の周りの抗力トルクＴstは、二つのブレーキパッドの自転により発生する抗力トルクの和であるので、下記の式１により表される。
Ｔst＝２×２×２５×μ×Ｆ
＝１００μＦ  ……（１）
【００５１】
この抗力トルクＴstは、回転トルク伝達装置６６Ａ及び６６Ｂにより回転軸線１８の周りの回転トルクに変換され、自転による制動トルクＴrtとしてブレーキロータ１２に伝達される。自転軸線４０と回転トルク伝達装置６６Ａ及び６６Ｂとの距離は３２．５mmであるので、自転による制動トルクＴrtは下記の式２により表される。
Ｔrt＝１００μＦ／３２．５×１５２．５
＝４６９μＦ  ……（２）
【００５２】
また、公転による制動トルクＴrvは、押圧装置６０Ａ及び６０Ｂの押圧力Ｆが自転軸線４０に沿って作用することにより、ブレーキパッド１４Ａ及び１４Ｂが一方の側面に於いて発生する摩擦力により発生されると考えられてよいので、下記の式３により表される。
Ｔrv＝２×１２０μＦ
＝２４０μＦ  ……（３）
【００５３】
よって、制動トルクＴrvと自転による制動トルクＴrtと和である制動トルクＴbは、下記の式４により表され、制動トルクＴrvのみしか発生しない従来の一般的な構造のブレーキ装置との対比に於ける制動トルクのサーボ比Ｒbt1は、下記の式５により表される。
Ｔb＝４６９μＦ＋２４０μＦ
＝７０９μＦ  ……（４）
Ｒbt1＝７０９μＦ／２４０μＦ
＝２．９５  ……（５）
【００５４】
また、上記公開公報に記載されたブレーキ装置に於いて、ブレーキパッドとブレーキロータの側面との間の摩擦力μＦによりブレーキパッドがブレーキロータの円筒部の内面に対しμＦ／２にて押圧されるとする。また、ブレーキロータの回転軸線から円筒部の内面までの距離を１５２．５mmとすると、ブレーキパッドとブレーキロータの円筒部の内面との間の摩擦係合により発生する制動トルクＴrv′は下記の式６により表される。
Ｔrv′＝２×μＦ／２×１５２．５
＝１５２．５μＦ  ……（６）
【００５５】
よって、上記公開公報に記載されたブレーキ装置との対比に於ける制動トルクのサーボ比Ｒbt2は下記の式７により表される。
Ｒbt2＝７０９μＦ／（２４０μＦ＋１５２．５μＦ）
＝１．８  ……（７）
【００５６】
従って、第一の実施形態によれば、上記仕様の場合には、従来の一般的な構造のブレーキ装置の約３倍の制動トルクを発生させることができ、また、上記公開公報に記載されたブレーキ装置の約１．８倍の制動トルクを発生させることができる。
【００５７】
尚、この実施形態に於いて、ブレーキパッド等がそれぞれＮ（正の整数）個設けられる場合には、制動トルクＴbは式５により表される値のＮ倍になるので、更に高い制動トルクを発生させることができ、サーボ比Ｒbt1及びＲbt2も更に高くすることができる。このことは後述の第三の実施形態に於いても同様である。
［第二の実施形態］
【００５８】
図２は第一の実施形態の修正例として構成された本発明による摩擦ブレーキ装置の第二の実施形態を回転軸線を通る切断面にて切断して示す断面図である。尚、図２に於いて、図１に示された部材と同一の部材には図１に於いて付された符号と同一の符号が付されている。このことは後述の第三の実施形態に於いても同様である。
【００５９】
この第二の実施形態に於いては、ブレーキパッド１４Ａ及び１４Ｂの軸部は、第一の実施形態の軸部よりも大きい直径を有し、円板部より離れるほど直径が小さくなる切頭円錐形をなしている。また、非回転摩擦部材３４Ａ及び３４Ｂの円筒部の内面は、それぞれブレーキパッド１４Ａ及び１４Ｂの軸部に対応する切頭円錐形をなしている。摩擦部１４ＡＢ及び１４ＢＢはブレーキパッド１４Ａ及び１４Ｂの円板部には設けられておらず、軸部に設けられている。
【００６０】
各ブレーキパッドの軸部と非回転摩擦部材の円筒部との間に第一の実施形態に於けるボール３６Ａ及び３６Ｂは介装されておらず、非回転摩擦部材３４Ａ及び３４Ｂの円筒部の端面はブレーキパッド１４Ａ及び１４Ｂの円板部より隔置されている。尚、非回転摩擦部材の円筒部及びブレーキパッドの軸部の切頭円錐面は自転軸線４０と同軸をなし、自転軸線４０に対し４５°の傾斜角を有しているが、傾斜角は他の角度であってもよい。
【００６１】
図２と図１との比較より解る如く、この第二の実施形態の他の点は上述の第一の実施形態と同様に構成されている。従って、非回転摩擦部材３４Ａ及び３４Ｂは切頭円錐面にてブレーキパッド１４Ａ及び１４Ｂの軸部を支持すると共に、摩擦部１４ＡＢ及び１４ＢＢと摩擦係合する点を除き、第二の実施形態は第一の実施形態と同様に作動する。よって第一の実施形態の場合と同様の作用効果が得られる。
【００６２】
特に、非回転摩擦部材３４Ａ及び３４Ｂがそれぞれ押圧装置６０Ａ及び６０Ｂにより押圧力Ｆにて押圧されると、非回転摩擦部材３４Ａ及び３４Ｂが切頭円錐面にて摩擦部１４ＡＢ及び１４ＢＢを垂直に押圧する力はＦ×２１／２になる。自転軸線４０と摩擦部１４ＡＢ及び１４ＢＢとの距離を２３mmとし、ブレーキ装置１０の他の仕様が第一の実施形態の場合と同一であるとする。ブレーキパッド１４Ａ及び１４Ｂが自転することにより発生する自転軸線４０の周りの抗力トルクＴstは、下記の式８により表される。
Ｔst＝２×２５×μ×Ｆ＋２×２３×μ×Ｆ×２１／２
＝１１５．０μＦ  ……（８）
【００６３】
また、自転による制動トルクＴrtは下記の式９により表され、よって制動トルクＴrvと自転による制動トルクＴrtと和である制動トルクＴbは、下記の式１０により表される。
Ｔrt＝１１５．０μＦ／３２．５×１５２．５
≒５４０μＦ  ……（９）
Ｔb＝５４０μＦ＋２４０μＦ
＝７８０μＦ  ……（１０）
【００６４】
よって、従来の一般的な構造のブレーキ装置及び上記公開公報に記載されたブレーキ装置との対比に於ける制動トルクのサーボ比Ｒbt1及びＲbt2はそれぞれ下記の式１１及び１２の通りである。
Ｒbt1＝７８０μＦ／２４０μＦ
＝３．２５  ……（１１）
【００６５】
Ｒbt2＝７８０μＦ／（２４０μＦ＋１５２．５μＦ）
≒１．９９  ……（１２）
【００６６】
従って、第二の実施形態によれば、従来の一般的な構造のブレーキ装置よりも遥かに高い制動トルクを発生させることができ、また、上記公開公報に記載されたブレーキ装置よりも高い制動トルクを発生させることができる。そしてこれらの効果は、上述の第一の実施形態の場合よりも高い。
【００６７】
尚、ブレーキパッド等がそれぞれＮ（正の整数）個設けられる場合には、制動トルクＴbは式１０により表される値のＮ倍になるので、第二の実施形態の場合にも更に高い制動トルクを発生させることができ、サーボ比Ｒbt1及びＲbt2も更に高くすることができる。
【００６８】
特に、第二の実施形態によれば、ブレーキパッド１４Ａ及び１４Ｂの軸部と非回転摩擦部材３４Ａ及び３４Ｂの円筒部との間に複数のボールを介装させる必要がない。よって、第一の実施形態の場合に比して、ブレーキ装置の構造を簡略化し、ブレーキ装置の組立てや分解保守を容易に行うことができる。
［第三の実施形態］
【００６９】
図３は第一の実施形態の修正例として構成された本発明による摩擦ブレーキ装置の第三の実施形態を回転軸線を通る切断面にて切断して示す断面図である。
【００７０】
この第三の実施形態に於いては、メインロータ２０は第一及び第二の実施形態と同様であるが、サブロータ２２の内周部は静止部材３８の円筒状の円筒部に嵌合している。サブロータ２２の内周部と静止部材３８の円筒状の内周部との間には、回転軸線１８の周りに全周に亘り延在するシール部材７０が配置されている。
【００７１】
従って、メインロータ２０及び、サブロータ２２は、回転軸１６、車輪支持部材２８、シール部材７０及び静止部材３８と共働して密閉空間７２を形成しており、ブレーキパッド１４Ａ、１４Ｂ及び静止部材３８の主要部は、密閉空間７２に収容されている。そして密閉空間７２には潤滑剤が充填されている。尚、第一及び第二の実施形態に於けるカバー５８に相当するカバーは設けられていない。
【００７２】
図３と図１との比較より解る如く、この第三の実施形態の他の点は上述の第一の実施形態と同様に構成されている。従って、この第三の実施形態のブレーキ装置１０は第一の実施形態のブレーキ装置１０と同様に作動し、サーボ比Ｒbt1及びＲbt2も第一の実施形態の場合と同一である。
【００７３】
特に、この第三の実施形態によれば、ブレーキロータ１２は非回転部材としての静止部材３８と共働してブレーキパッド１４Ａ、１４Ｂ及びこれらに対応する押圧装置を収容する密閉空間７２を郭定している。
【００７４】
従って、ブレーキパッド１４Ａ及び１４Ｂとディスク部２０Ａ及びサブロータ２２との間や押圧装置に泥水や粉塵が侵入する虞れを低減し、これによりブレーキ装置１０の耐久性を向上させることができる。また、ブレーキ装置１０の内部に泥水や粉塵が侵入することを抑制するカバー等の必要性を排除することができる。
【００７５】
また、第三の実施形態によれば、密閉空間７２には潤滑液が充填されている。従って、ブレーキパッド１４Ａ及び１４Ｂとディスク部２０Ａ及びサブロータ２２との間の摩擦接触部を潤滑液にて潤滑することができる。よってこれらの異常摩耗を抑制し、摩擦による発熱やブレーキ鳴きを抑制すると共に、潤滑液によるブレーキパッド等の冷却によってそれらの昇温を抑制することができる。
【００７６】
上述の第一乃至第三の実施形態によれば、ディスク部２０Ａ、円筒部２０Ｂ及びサブロータ２２は、回転軸線１８を通る径方向の切断面で見て径方向内方へ開いたコの字形の断面形状をなしている。そしてピストン４２Ａ、４２Ｂ等よりなる押圧装置は、ブレーキパッド１４Ａ、１４Ｂと共にディスク部２０Ａとサブロータ２２との間に配設され、それらに対しブレーキパッド１４Ａ、１４Ｂを互いに離れる方向へ押圧するようになっている。
【００７７】
よって、従来のディスクブレーキ装置や上記公開公報に記載のブレーキ装置の如くブレーキロータの両側に於いて一対の摩擦部材や押圧装置を支持すると共に押圧装置の押圧力の反力を担持するキャリパは不要であり、キャリパの剛性を高くすることも不要である。また、第一及び第二のディスク部としてのディスク部２０Ａ及びサブロータ２２は、回転軸線１８の周りに全周に亘り延在しているので、回転軸線の周りに円弧状にしか延在しないキャリパに比してブレーキロータ１２の剛性を高くすることができる。
【００７８】
また、ピストン４２Ａ及び４２Ｂ等により郭定される押圧装置が発生する押圧力はシリンダ室４８内の油圧の制御によって制御され、シリンダ室４８はディスク部２０Ａとサブロータ２２との間に配置された静止部材３８内に形成されている。そしてシリンダ室４８内の油圧は静止部材３８内に形成された内部通路５４を経て制御される。
【００７９】
よって、従来のディスクブレーキ装置や上記公開公報に記載のブレーキ装置の如く押圧装置がブレーキロータの外側に配置されているブレーキ装置に於いて、押圧装置を駆動するために押圧装置に接続される導管等を不要にすることができる。
【００８０】
従って、上記各実施形態によれば、従来のディスクブレーキ装置や上記公開公報に記載のブレーキ装置に比して、大型化を招来することなく摩擦ブレーキ装置が発生する制動トルクを高くすることができる。
【００８１】
特に、第一及び第三の実施形態によれば、ブレーキパッド１４Ａ及び１４Ｂは円板部の両面の同一の半径の位置に於いてディスク部２０Ａ等と摩擦係合するので、両面に於ける押圧力が等しくなるよう押圧装置６０Ａ及び６０Ｂの押圧力を効率的に伝達させることができる。また、ディスク部２０Ａ等との摩擦係合がブレーキパッド１４Ａ及び１４Ｂの円板部の一方の面と他の部位に於いて行われる場合に比して、ブレーキパッドに作用する変形応力を低減することができる。
【００８２】
また、上記各実施形態によれば、ピストン４２Ａ及び４２Ｂは、共通のシリンダボア４４に嵌合することによりそれらの間に共通のシリンダ室４８を郭定し、回転軸線１８に平行な軸線４６に沿って往復動するようになっている。よって、例えばピストン４２Ａ、４２Ｂがそれぞれ対応するシリンダボアに嵌合する場合に比して、シリンダボアの数を低減すると共に、シリンダ室の圧力を制御するための内部通路５４などの数も低減することができる。また、シリンダ室４８の圧力によるディスク部２０Ａ及びサブロータ２２に対する押圧力の反力を静止部材３８によって担持する必要がない。よってピストン４２Ａ、４２Ｂがそれぞれ対応するシリンダボアに嵌合する場合に比して、ブレーキ装置１０の構造を単純化することができる。
【００８３】
また、上記各実施形態によれば、円筒部２０Ｂの厚さはディスク部２０Ａ及びサブロータ２２の厚さよりも小さい。しかし円筒部２０Ｂは回転軸線１８の周りに全周に亘り延在する円筒状をなし、円筒部２０Ｂの剛性はディスク部２０Ａ及びサブロータ２２の剛性よりも高い。
【００８４】
よって、円筒部２０Ｂの剛性がディスク部２０Ａ及びサブロータ２２の剛性よりも低い場合に比して、ブレーキ装置１０が作動する際のディスク部２０Ａ及びサブロータ２２が互いに離れる方向へ変形する量を小さくすることができる。従って、剛性の大小関係が逆の場合に比して、ブレーキ装置１０の制動作用を向上させることができる。
【００８５】
また、上記各実施形態によれば、メインロータ２０及びサブロータ２２は、回転軸線１８を通る径方向の切断面で見て径方向内方へ開いたコの字形の断面形状をなしている。そしてブレーキパッド１４Ａ、１４Ｂ及びピストン４２Ａ、４２Ｂ等よりなる押圧装置を支持する静止部材３８は、内周部にて車輪支持部材２８に支持され、径方向内側からディスク部２０Ａとサブロータ２２との間へ延在している。
【００８６】
従って、メインロータ２０及びサブロータ２２が径方向内方以外の方向へ開いたコの字形の断面形状をなしている場合に比して、静止部材３８の構造を単純化することができ、これによりブレーキ装置１０の構造を単純化し小型化することができる。
【００８７】
また、上記各実施形態によれば、円筒部２０Ｂはディスク部２０Ａと一体をなし、円筒部２０Ｂ及びディスク部２０Ａは車輪のリム部が連結されるメインロータ２０を形成している。
【００８８】
従って、円筒部２０Ｂがサブロータ２２の一部をなし、円筒部２０Ｂが実質的に円板状のメインロータ２０に連結される場合に比して、ブレーキロータ１２の剛性を高くすると共に、車輪のリム部に対するブレーキ装置１０の取付け強度を高くすることができる。
【００８９】
以上に於いては本発明を特定の実施形態について詳細に説明したが、本発明は上述の実施形態に限定されるものではなく、本発明の範囲内にて他の種々の実施形態が可能であることは当業者にとって明らかであろう。
【００９０】
例えば上述の各実施形態に於いては、回転トルク伝達装置６６Ａ及び６６Ｂはブレーキロータ１２に設けられた内歯車とブレーキパッド１４Ａ及び１４Ｂに設けられた外歯車とにより形成されている。しかしブレーキロータ１２の歯車はブレーキパッド１４Ａ及び１４Ｂに対し径方向内側に形成された外歯車であってもよい。また回転トルク伝達装置は、ブレーキロータ１２とブレーキパッド１４Ａ及び１４Ｂとの間にて回転トルクを相互に伝達することができる限り、任意の構造のものであってよい。
【００９１】
また、上記各実施形態によれば、ピストン４２Ａ及び４２Ｂは、共通のシリンダボア４４に嵌合することによりそれらの間に共通のシリンダ室４８を郭定し、回転軸線１８に平行な軸線４６に沿って往復動するようになっている。しかし、ピストン４２Ａ、４２Ｂがそれぞれ対応するシリンダボアに嵌合するよう修正されてもよい。
【００９２】
また、ブレーキパッド１４Ａ、１４Ｂ、非回転摩擦部材３４Ａ、３４Ｂ及びピストン４２Ａ、４２Ｂは互いに共通の自転軸線４０に沿って配設されている。しかし、ブレーキパッド１４Ａ、非回転摩擦部材３４Ａ、及びピストン４２Ａが、ブレーキパッド１４Ｂ、非回転摩擦部材３４Ｂ及びピストン４２Ｂより回転軸線１８の周りに隔置された状態にて配設されてよく、その場合には複数の組が回転軸線１８の周りに均等に隔置されることが好ましい。
【００９３】
また、上述の各実施形態に於いては、ブレーキパッド１４Ａ、１４Ｂ、非回転摩擦部材３４Ａ、３４Ｂ及びピストン４２Ａ、４２Ｂはそれぞれ互いに同一の直径を有しているが、これらは互いに異なる直径を有していてもよい。
【００９４】
また、上述の第一及び第三実施形態に於いては、ブレーキパッド１４Ａ及び１４Ｂの摩擦部１４ＡＡ〜１４ＢＢは、自転軸線４０を中心として互いに同一の半径の位置に設けられている。しかしブレーキパッド１４Ａ及び１４Ｂの両側の摩擦部は互いに異なる半径の位置に設けられていてもよい。
【００９５】
また、上述の各実施形態に於いては、ブレーキパッド１４Ａ及び１４Ｂに軸部が設けられ、非回転摩擦部材３４Ａ及び３４Ｂがそれらの軸部を回転可能に支持するようになっている。しかし、非回転摩擦部材３４Ａ及び３４Ｂに軸部が設けられ、ブレーキパッド１４Ａ及び１４Ｂがそれらの軸部を回転可能に支持するよう修正されてもよい。
【００９６】
また、上述の第一及び第二の実施形態に於いては、円筒部２０Ｂはディスク部２０Ａと一体に形成されてメインロータ２０を形成している。しかし、円筒部２０Ｂはサブロータ２２と一体に形成されてもよく、またディスク部２０Ａ、円筒部２０Ｂ、サブロータ２２が別体に形成されてもよい。
【００９７】
また、上述の第二の実施形態に於いては、メインロータ２０及びサブロータ２２は、回転軸１６、車輪支持部材２８及び静止部材３８と共働して密閉空間を形成していないが、密閉空間が形成されるよう修正されてもよい。また、その場合密閉空間に潤滑剤が充填されてもよい。
【００９８】
また、上述の各実施形態に於いては、押圧装置はピストンがシリンダボアに嵌合してシリンダ室を形成する油圧式のものであるが、電磁式のアクチュエータであるよう修正されてもよい。また、各実施形態のブレーキ装置は車両用のブレーキ装置であるが、本発明のブレーキ装置は車両以外の用途に適用されてもよい。
【図１】
2013150659.tif 000003
【図２】
2013150659.tif 000004
【図３】
2013150659.tif 000005
【国際調査報告】
2013150659.tif 000006
2013150659.tif 000007
2013150659.tif 000008
2013150659.tif 000009